Podtech/llm-jp-corpus-v4-ja_patent huggingface dataset:
(57)【要約】      （修正有）【課題】亜鉛の超微粒子を混ぜることにより、抗菌作用の効果を高める建材や木材、タイルを提供する。【解決手段】亜鉛の超微粒子を、天井１、壁およびクロス２、床３などの建材にコーティングすることにより、抗菌、殺菌作用の効果を高める。バインダーの中に亜鉛の微粒子を分散剤と共に入れることにより、沈殿せずに混ぜることができ、ワックスとして木材やタイルに塗布してもよい。即効性や持続性があり、抗菌、消臭の効果がみられ、特に感染症の拡大を防止することができる。【選択図】図１
0003211278.tif 000002
【実用新案登録請求の範囲】
【請求項１】
亜鉛の超微粒子をコーティングした床材や壁やクロスや天井などの建材。
【請求項２】
亜鉛の超微粒子を分散剤と混ぜたワックス。
【考案の詳細な説明】
【技術分野】
【０００１】        本考案は、組成分である亜鉛の超微粒子を練りこむ、又は混ぜることによって、バクテリア、ウィルスを死滅させ、抗ウィルス効果をもたらす建材類に関するものである。
【背景技術】
【０００２】        従来、光触媒と畜光材料を用いることで、抗菌、殺菌作用を有する材料や漆喰材料などが開発されている。
【特許文献１】特許公開２０１５−１２１０７８
【特許文献２】特許公開２０１１−０５６４６９
【考案の開示】
【考案が解決しようとする課題】
【０００３】        亜鉛の超微粒子を建材にコーティングし、抗菌、殺菌作用を有するため、病院や高齢者介護施設における感染症の拡大を防止する。
【課題を解決するための手段】
【０００４】        バインダーの中に亜鉛の粒子を５０００ｐｐｍ〜１０００００ｐｐｍの濃度で、分散剤と共に入れ、建材のトップコートとして塗る。【０００５】        ワックスの中に亜鉛の粒子を５０００ｐｐｍ〜１０００００ｐｐｍの濃度で分散剤と共に入れ、混ぜる。
【考案の結果】
【０００６】        分散剤を使うことによって、まんべんなく、沈殿せずに、亜鉛の粒子が混ざり、トップコートとして、中塗りや下塗りに使うことができる。
【０００７】        ペンキは樹脂が多いので、抗菌作用に効果がうすいし、効果があらわれるのに時間がかかるが、亜鉛の粒子を含んだ建材やワックスは即効性があり、抗菌、消臭効果がある。
【０００８】        ウィルス感染価の低下が認められ、ウィルスに対する抑制効果があり、持続性がある。
【考案を実施するための最良の形態】
【０００９】        図１に、本考案の実施形態を例示する。図１は、亜鉛の超微粒子をコーティングする建材箇所である。図２は、床に亜鉛の超微粒子を含んだワックスを塗る箇所である。図３は、コーティングした建材の図であり、抗菌効果が期待できる。
【図面の簡単な説明】
【００１０】
【図１】本考案の実施形態を例示する建材の図
【図２】ワックスを床に塗った図
【図３】コーティングした建材の図
【符号の説明】
【００１１】          １  天井
２  壁およびクロス
３  床
【図１】
0003211278.tif 000003
【図２】
0003211278.tif 000004
【図３】
0003211278.tif 000005
【手続補正書】
【提出日】平成29年4月14日(2017.4.14)
【手続補正１】
【補正対象書類名】実用新案登録請求の範囲
【補正対象項目名】全文
【補正方法】変更
【補正の内容】
【実用新案登録請求の範囲】
【請求項１】
亜鉛の超微粒子をコーティングした床材や壁やクロスや天井などの建材。
【請求項２】
亜鉛の超微粒子を分散剤と混ぜたワックスを塗布した木材やタイル。
(57)【要約】      （修正有）【課題】正面からと横の左側からの両方を意識して、どちらにも楽な姿勢でミシン等の針目の糸通しが出来る糸通しを提供する。【解決手段】薄い弾性のある２枚の鉄板と、糸をかけるフックとを備えた糸通しであって、２枚の鉄板でフックを挟み、２枚の鉄板を互いに離れる方向に折り曲げてガイドを形成し、鉄板の互いに離れた先端に切れ目を形成した。この糸通しをミシンの針に当てると、２枚の鉄板がガイドとなってフックの部分がちょうど中央部分にきて、針の目穴の位置に合う。そこで軽く押すことで、針の目穴にフックを通す事が出来る。その後、２枚の鉄板の切れ目に糸を押し込み、糸の左側の先端部分を上方向に持ちあげながら、針から遠ざけるように引き抜くと、フックに糸が引っかかり、同時に糸が針の目穴を通る。【選択図】図１
0003211291.tif 000002
【実用新案登録請求の範囲】
【請求項１】
薄い弾性のある鉄板２枚（図５の５−２，５−３）で挟んだフック（図５の５−４（弾性のある針金））で構成した物である。
【請求項２】
装置のフック部分を針の目穴にあて、装置全体を軽くこするように上下させて、フックを針の目穴に通す事が出来る。
【請求項３】
針に装置をセットしたところで鉄板の切れ目（図２のＢ）に押し込むようにして、糸をセットする（図４の４−４）と、ちょうどフックの位置にくる事で装置を針から外すときに、糸はフックに引っかかり、糸は針目穴に通す事が出来る。
【考案の詳細な説明】
【技術分野】
【０００１】本発明は、一般にミシン等の針の目穴に糸を通す物に関するものである。
【背景技術】
【０００２】従来の糸通しは、複雑で初めにこの装置の先端部分を針の目穴に通して、その先端部分（特許文献１（図１（Ａ）３）に糸を通してから、針の目穴に糸を通すと言った物もある。（例えば、特許文献１参照）
また、ミシン等に取り付けられて自動又は半自動で針の目穴に糸を通すと言った物もある。（例えば、特許文献２参照）
【先行技術文献】
【特許文献】
【０００３】
【特許文献１】待開平０８−２８９９８９
【特許文献２】特許６００５８９８
【考案の概要】
【考案が解決しようとする課題】
【０００４】現在はミシン針等の針の目穴に糸を通す装置を備えた機械は、そんなに多くはない。【０００５】機械に備えている装置はとてもデリケートで、もしこの装置に不具合がでて修理をする事になると、かなりの金額になる。【０００６】鋼線で作ったＶ型の装置も細い針の目穴に通すには困難である。【０００７】本発明は、このような従来の構成が有していた問題を解決しようとするものである。
【課題を解決するための手段】
【０００８】上記目的を達成する本発明の糸通し方法は、薄い弾性のある鉄板（図５−２、５−３）の２枚でフック（図５−４）（形状記憶合金製）を挟むように作った装置はミシン等の針に当てた時に、この２枚の鉄板がガイドとなってフックの部分がちょうどこの２枚の中央部分にきて、針の目穴の位置に合う。【０００９】装置全体を上下に動かす事で針の目穴にフックが合い、そこで軽く押すことで、針の目穴にフックを通す事が出来る。【００１０】針の目穴にフックを通した後に、２枚の鉄板の切れ目（図２−１のＢ）に糸を押し込むように入れられる。（図４−４）【００１１】糸を鉄板の切れ目の奥まで入れたところで、糸の左側の先端部分を上方向に持ちあげながら、装置を針から遠ざけるように引き抜く。【００１２】その操作により、フックに糸が引っかかり、同時に糸が針の目穴を通って目的を達成出来る。【００１３】もし途中でフックから外れて、図４−５のようになった場合は、装置の１ｃの部分で引っかけて、糸が完全に通るのを助ける。【００１４】
【考案の効果】
【００１５】針の目穴に通すフックの部分を２枚の薄い鉄板でガイドを作る事で、目的の作業が楽に早く出来る。【００１６】目の悪い方や歳をとるごとに目だけでなく手ぶれも気になるので、この装置が手助けになる。【００１７】この装置の特徴は、ミシン等の針目の糸通しは正面からと横の左側から行われ、この両方を意識して、どちらにも楽な姿勢でミシン等の針目の糸通しが出来る。【００１８】先に述べたように、それを可能にするために、針に当たる部分から見て角度を付けて、右手でつかんで作業をする時に、自分の目線に邪魔にならないようにそらす事が出来る。
【図面の簡単な説明】
【００１９】
【図１】本発明の本体の真上からと正面から見た図。
【図２】２−１：薄い弾性のある鉄板２枚（図５の５−２，５−３）で挟んだフック（図５の５−４（弾性のある針金））で構成した物である。２−２：図１のａの切断面の図。（２−３のＡ−Ａ部）  ２−４：２−２を真上から見た図。
【図３】図１のｂの図。
【図４】４−１〜４−５使い方の流れを示す図。
【図５】装置の主なパーツの図面。５−１装置本体。５−２、５−３薄い弾性のある鉄板。５−４フック。５−５糸掛け、図１のｂ。
【考案を実施するための形態】
【００２０】以下、本発明の実施の形態を図１〜図５に基づいて説明する。
【００２１】図１は図５に示したパーツ（５−１〜５−５）を溶接なりで組み立てた後の形で、真上からと正面からの図面。
【００２２】図２は図１のａの部分。（図５の５−４を５−２と５−３で鋏んで作った図）
図２の２−２は、（図１のａの部分）２−３のＡ−Ａの断面図。
【００２３】図４の４−２は、図４−１のａの部分がミシン針１にフックの部分が針の目穴に通す時の真上からの図。
【００２４】図４の４−３と４−４はフックが針の目穴に通った後に、糸をｂの部分にかけてから、針の目穴に通ったフックａの部分（図２の２−１で示した切れ目Ｂ）に通して、フックに糸が引っかかる所にセットして、装置本体を遠ざける様にフックを引き抜くと、同時に糸も付いてくる。
【００２５】図４の４−５は針の目穴に糸が通って目的の糸通しが完了する。
【００２６】もし途中で糸がフックから外れて図４の４−５の様になった場合には、図１のｃの部分引っかけて完全に通す事が出来る。
【符号の説明】
【００２７】図１本体の真上と正面。
ａ  針目の糸通し用のフックが付いた部分。
ｂ  糸かけ。
ｃ  中途半端に糸が通った時に掛けて通す部分。
【図１】
0003211291.tif 000003
【図２】
0003211291.tif 000004
【図３】
0003211291.tif 000005
【図４】
0003211291.tif 000006
【図５】
0003211291.tif 000007
【手続補正書】
【提出日】平成29年4月17日(2017.4.17)
【手続補正１】
【補正対象書類名】実用新案登録請求の範囲
【補正対象項目名】全文
【補正方法】変更
【補正の内容】
【実用新案登録請求の範囲】
【請求項１】
薄い弾性のある２枚の鉄板と、フックとを備えた糸通しであって、
前記２枚の鉄板でフックを挟み、
前記２枚の鉄板を互いに離れる方向に折り曲げてガイドを形成したことを特徴とする糸通し。
【請求項２】
前記２枚の鉄板の互いに離れた先端に切れ目を形成したことを特徴とする請求項１に記載の糸通し。
(57)【要約】      （修正有）【課題】本体の周囲が焼きカスで散らからないクレープ焼き機を提供する。【解決手段】クレープ焼き機に取り外し可能なカス受けを設け、一時的に溜めておく事ができる。【選択図】図３
0003211297.tif 000002
【実用新案登録請求の範囲】
【請求項１】
クレープ作りの際に発生する鉄板上の焼きカスを一時的に溜めておくカス受けを設けた電気クレープ焼き機
【考案の詳細な説明】
【技術分野】
【０００１】本考案はクレープ焼き機に関するものである。
【背景技術】
【０００２】クレープを作る為の従来のクレープ焼き機は製造の過程で発生する焼きカスは鉄板の外へ掃き出す他手段がなく、本体の周りが散らかり衛生的ではないものであった。
【考案の概要】
【考案が解決しようとする課題】
【０００３】従来のクレープ焼き機はクレープの焼きカスを鉄板の外へ掃き出すしか手段がなく、本体の周りが散らかり汚れる問題があった。この問題を解決する為に簡単に本体に設置できるカス受けを設け、本体、厨房が汚れないクレープ焼き器を実現する。
【課題を解決するための手段】
【０００４】鉄板の手前に取り外し可能なカス受けを設置する。
【考案の効果】
【０００５】本考案によればクレープを焼く際に発生した焼きカスをまとめて手前のカス受けへ一時的に溜めておく事が可能となる。本体や周囲が汚れず散らからない。【０００６】また、簡単に取り外し可能なので容易に溜まった焼きカスを捨てる事ができる。
【図面の簡単な説明】
【０００７】
【図１】本考案を実装したクレープ焼き機の全体図である
【図２】本考案のカス受けを取り外した状態の全体図である
【図３】本考案の単体の構造を表す斜面図である
【考案を実施するための形態】
【０００８】以下に図面を参照して、本願に関わる発明を実施するための形態について説明する。
【０００９】図１はクレープ焼き機にカス受けを取付けた図である。
【００１０】図２はカス受けを取り外した状態の図である。支えを横へ移動し、引き出す事で取り外す事ができる。
【００１１】図３はカス受け全体を示す斜面図である。
【産業上の利用可能性】
【００１２】本発明は、クレープの焼きカスを一時的に溜めておく事ができ、キッチンや厨房を汚さず衛生的に調理が可能となる。
【図１】
0003211297.tif 000003
【図２】
0003211297.tif 000004
【図３】
0003211297.tif 000005
(57)【要約】      （修正有）【課題】有名人ばかりでなく、家族、友人、町の人たちというように一般人を対象としても、顔の特徴をとらえやすいために似顔絵に取っ付きやすくなる似顔絵教本を提供する。【解決手段】似顔絵を描く手ほどきとなる似顔絵教本Ｐであって、手ほどきの中心となる多数の参考欄５を配列して設けるとともに、各欄において、似顔絵の元となる顔写真９と、それを特徴的に捉えて描写した手本の似顔絵１１とを並列して載せたことを特徴とする。【選択図】図１
0003211243.tif 000002
【実用新案登録請求の範囲】
【請求項１】
似顔絵を描く手ほどきとなる似顔絵教本であって、手ほどきの中心となる多数の異なる参考欄を配列して設けるとともに、各欄において、似顔絵の元となる顔写真と、それを特徴的に捉えて描写した手本の似顔絵とを並列して載せたことを特徴とする似顔絵教本。
【請求項２】
前記顔写真および似顔絵がそれぞれ男女二人からなるツーショット様式であることを特徴とする請求項１記載の似顔絵教本。
【請求項３】
顔を構成する眉毛、眼、鼻、唇等の要素を特徴的に描く刳抜きを有するテンプレート付きであることを特徴とする請求項１または２記載の似顔絵教本。
【考案の詳細な説明】
【技術分野】
【０００１】
この考案は、似顔絵を描く手ほどきとなる似顔絵教本に関する。
【背景技術】
【０００２】
新聞や雑誌等においては、話題の有名人を似顔絵として描くことによって顔写真代わりとすることが多々行われる。似顔絵は、細かな点で写真に劣り大ざっぱではあるものの、印象的であり直観的には却って素早く人物の記憶をよみがえらせるため好評に利用される。
【０００３】
従って、新聞、雑誌などの記事で表現の効果が得られることはもちろん、特徴の巧みな捉え方が関心となるために、似顔絵がメディアおいてばかりでなく、友達同士、家族同士でプレゼントしあう楽しみ方も多くなっているという。しかし、似顔絵は非常に難しくそれについて適当な指導書はなかったことが問題であった。
【考案の概要】
【考案が解決しようとする課題】
【０００４】
似顔絵は、特徴ある部分を発見しその部分を強調し過大に描くことにあるという。しかし、実際の場面になると、「特徴のある部分」がどこにあるのか見当がつかないために、描写動作にまで進展しないで終わってしまうことになりやすい。個性の強い有名人が対象であると特徴を比較的掴みやすいが、有名人ではない一般人を対象とするときは特徴があるのかないのかという程度にとどまり、取りつきにくいという問題があった。
【０００５】
この考案は、上記のような実情に鑑みて、有名人ばかりでなく、家族、友人、町の人たちというように一般人を対象としても、顔の特徴をとらえやすいために似顔絵に取っ付きやすくなる似顔絵教本を提供することを課題とした。
【課題を解決するための手段】
【０００６】
上記の課題を解決するために、この考案は、似顔絵を描く手ほどきとなる似顔絵教本であって、手ほどきの中心となる多数の参考欄を配列して設けるとともに、各欄において、似顔絵の元となる顔写真と、それを特徴的に捉えて描写した手本の似顔絵とを並列して載せたことを特徴とする似顔絵教本を提供する。
【０００７】
似顔絵教本を上記のように構成したから、これを利用して例えば友人の似顔絵を描くときには、多数の参考欄のうちでその友人と似通った写真のある者を選び、同欄内の似顔絵を観て、顔写真と比較し特徴ある描き方が少しでもあれば見出し、次いで、本人と向かい合って特徴を特に強調的に加えてその似顔絵を描く。そうすると、本人が個性的でなくとも、少しの特徴でも過大に表現されて立派な似顔絵となる。
【考案の効果】
【０００８】
以上説明したように、この考案の似顔絵教本によれば、有名人ばかりでなく、家族、友人、町の人たちというようにありふれた一般人を対象としても、顔の特徴をとらえやすいために似顔絵に取っ付きやすくなり、親しい間においても楽しく似顔絵のやり取りができるようになるという優れた効果がある。
【図面の簡単な説明】
【０００９】
【図１】この考案の似顔絵教本を一部切り欠いて示す平面図である。
【図２】同似顔絵教本に添付されるテンプレートの平面図である。
【図３】同似顔絵教本に添付されるテンプレートの平面図である。
【図４】同似顔絵教本に添付されるテンプレートの平面図である。
【図５】同似顔絵教本に添付されるテンプレートの平面図である。
【考案を実施するための形態】
【００１０】
下記の実施例では、特徴が表れやすい眉毛、眼、鼻、唇についてテンプレートを添付したが、さらに顔や顎、頭、髪型等を輪郭で表したテンプレートを加えることもある。
【実施例】
【００１１】
図面は一実施例を示したもので、その似顔絵教本Pは、それに付録として複数枚のテンプレート３ａ，３ｂ，３ｃ，３ｄが添えられている。
【００１２】
似顔絵教本Pには、表紙１を開くと似顔絵の描き方の文章が記載された章のほかに、説明の中心となる参考欄５，５・・が配列される他の章があり、図１にその章のページを表紙１を切り欠いて示す。
【００１３】
当該他の章においては、多数の参考欄５が縦横に配列され、欄内には男女が左右に並ぶいわゆるツーショットの顔写真９が張られ、顔写真だけ残るように写真の下部に、顔写真を見て描いた似顔絵１１の紙１２を貼って写真の下部を隠してある。つまり、参考欄５の上部はツーショットの顔写真９であって、その下に同人物の似顔絵１１を表してある。なお、似顔絵１１には下半身まで全身に描かれているが上半身だけでも良い。
【００１４】
テンプレート３ａ，３ｂ，３ｃ，３ｄは、眉毛、眼、鼻、唇についてテンプレート毎に配分され、眉毛や眼は対において表わされる。なお、テンプレートは薄い合成樹脂板にペン先を沿わす溝または空間の抉抜き１３を設けて作成される。
【符号の説明】
【００１５】
P  似顔絵教本
１  表紙
３ａ，３ｂ，３ｃ，３ｄ  テンプレート
５  参考欄
９  顔写真
１１  似顔絵
１３  抉抜き
【図１】
0003211243.tif 000003
【図２】
0003211243.tif 000004
【図３】
0003211243.tif 000005
【図４】
0003211243.tif 000006
【図５】
0003211243.tif 000007
(57)【要約】      （修正有）【課題】寒い環境下から体温を守り軽量で雨、露、風の影響を低減できて水中にあっても浮力を維持できる安価で簡素なアンダーウエアーを提供する。【解決手段】２枚のポリエチレンシートを真空成型機に通して熱融着し、小さな独立した気泡がシート上に多数並べられた気泡シートの片面を起毛した布２で被って裏地とした気泡シートのアンダーウエアーである。後見頃に同じ気泡シートの帯４を備え両脇から前面に引き寄せてファスナー６で止着し胴回りの気泡シート全体が密着できることが好ましい。【選択図】図１
0003211502.tif 000002
【実用新案登録請求の範囲】
【請求項１】
２枚のポリエチレンシートを真空成型機に通して熱融着し、小さな独立した気泡がシート上に多数並べられた素材（以下気泡シートという）の片面を起毛した布で被って仕立てたことを特徴とする気泡シートのアンダーウエアー。
【請求項２】
請求項１の気泡シートのアンダーウエアーは後見頃に同じ気泡シートの帯を備え両脇から前面に引き寄せて止着することで胴回りの気泡シート全体が密着できることを特徴とする気泡シートのアンダーウエアー。
【考案の詳細な説明】
【技術分野】
【０００１】寒い環境下に於いて使用する保温効果の高いアンダーウエアーに関する。
【背景技術】
【０００２】電気を使った発熱体を組み込む方式を除いて、保温効果を目的としたアンダーウエアーの構造は大別して化学的に発熱する糸、或いは多孔糸で織った布の下着、一方羽毛や発泡倍率の高いウレタンを孕んだキルテング素材を用いたもの等に大別される。
気泡シートを応用した方法は有るが、大きなポケットを備えた前後だれを首に通して装着し、ポケット内に気泡シートを出し入れする間接的な方法で、胴全体を覆うものではなく保温性は不完全なものであった。
どの様な方法でも保温性能の基本は身を覆う空気の量に比例する。
【先行技術文献】
【特許文献】
【０００３】
【特許文献１】実用新案登録第３０３４８０９
【特許文献２】実用新案登録第３１６８９７８
【考案の概要】
【考案が解決しようとする課題】
【０００４】寒い環境下から体温を守り軽量で雨、露、風の影響を低減できて水中にあっても浮力を維持できる安価で簡素なアンダーウエアーを提供する。
【課題を解決するための手段】
【０００５】２枚の厚みの違うポリエチレンシートを真空成型機に通して熱融着し小さな独立した気泡がシート上に多数並べられた素材は緩衝材として一般に広く知られている。【０００６】気泡シートの持つ特徴を人体に応用できる新たなベストとパンツのデザインを創る。  その特徴はベストの後見頃に帯を取り付け脇を通して前見頃のマジックに止めて脇腹を広く覆いベスト全体を体に密着させる。【０００７】併せて気泡を形成するポリエチレン、特に弱い面側に被覆素材として起毛したパイルシートで覆う。
起毛材は織物のフレンチパイルでも不織布のパンチング処理したものでも生地面全体が雌面ファスナー機能を有する物である。
この目的は１、気泡シートの弱い欠点をカバーしアンダーウエアーの耐久性を上げる。
２、雌面ファスナーとして装着時に利用する。
３、起毛材と人体の間に僅かな空間を作り空気の流通を促し皮膚への干渉を抑える。
【考案の効果】
【０００８】考案の効果を実例に沿ってシュミレーションする。
例えば寒冷地の漁師さんが本考案のアンダーウエアーを着て漁に出る際、漁場に着くまでの海風をブロックする。【０００９】漁猟作業に入るまでの待ち時間、体温を保留できる。
併せて作業に入った場合素材が軽いので激しい作業の妨げにならない。【００１０】海上の波飛沫や雨を体まで通さない。【００１１】万一水面落下事故でも気泡シートの浮力は一般の防寒着の様に水を含んで重く成らず救命胴衣の浮力を補助する。【００１２】起毛材の裏地で人体と気泡シートが密着すること無く、わずかな対流の保温と通気を併せ持ち、あせも等の皮膚トラブルを抑える。【００１３】人体の胴部分を広く覆い密着するのでロスが少なく保温効果が高い。【００１４】裏面は全て起毛材で覆われているので気泡シートの部分追加、例えば背中にもう１枚重ねたい場合、片面雄メンファスナーを配したパーツでどこにでも何枚でも重ねられる。例えば片面に雄面ファスナーを取り付けた袋を作りカイロを入れて胴のどの位置にも当てられる。【００１５】起毛繊維を重ねるこの方式は帽子、靴下、マスク、医療用保温等にも応用可能である。
【図面の簡単な説明】
【００１６】
【図１】気泡シートのベスト正面図である。
【図２】気泡シートのベスト背面図である。
【図３】気泡シートのパンツ正面図である。
【図４】気泡シートのパンツ左足型紙である。
【符号の説明】
【００１７】  １、気泡シート
２、起毛布の裏地
３、正面縦付雄面ファスナー
４、脇腹を留める帯
５、膝抜け用穴
６、帯留め雄面ファスナー
７、ウエスト留め雄面ファスナー
８、パンツウエスト部接合ライン
９、パンツ脚サイド内腿側接合ライン
１０、パンツ脚サイド外側接合ライン
【考案を実施するための形態】
【０００１７】ベストは全面が解放されているので首に通して装着する必要は無く容易に体にまとい前見頃の正面縦向きにつけた雄面ファスナー３で前見頃の起毛裏地と胸の前中心で止着する。
後見頃に備えた脇帯４を両脇を通って前見頃に有る雄面ファスナー６で止着する。
パンツは図４の型紙を左右対称にカットしたものをウエスト接合辺８で接合し脚の両脇９と１０を線状に止着して脚筒を形成する。
装着ごパンツの前面ファスナー７と裏地起毛材で接続する。
【産業利用可能性】
【０００１８】特に体を動かさない駅舎勤務、警備、バイク、スポーツ観戦、釣り、ハンテング、農業等あらゆる寒冷環境に有効である。
【図１】
0003211502.tif 000003
【図２】
0003211502.tif 000004
【図３】
0003211502.tif 000005
【図４】
0003211502.tif 000006
(57)【要約】      （修正有）【課題】スライド式玄関ドアのカギをロックする施鍵ロック治具を提供する。【解決手段】互いに接合する２枚の金属板を含むスライド式玄関ドア施錠ロック治具であって、該金属板の一方３はドアに取り付けるための穴を設け、他方は立方体の形状を有する金属２を取り付けるとともに、一方３との接合部分を中心に回転動作可能である。【選択図】図２
0003211584.tif 000002
【実用新案登録請求の範囲】
【請求項１】
長方形の鉄板の端部に取付用の穴を空け、又中間に鉄板が折れ曲る様に互いの鉄板の半分を円筒にし軸を通し長方形の先端部に金属の立方体を接着したことを特徴とするスライド式玄関ドアの施鍵ロック治具。
【考案の詳細な説明】
【技術分野】
【０００１】  本考案は、長方形の金具部分と板状部分から成るものであり、施鍵部をロックするものである。
【背景技術】
【０００２】  スライド式玄関ドアの施鍵には、ロックできない形状のものが殆どで、内部から簡単に開けられるので、老人を介護している場合、危険であった。
【考案の開示】
【考案が解決しようとする課題】
【０００３】  スライド式玄関ドアの施鍵がロックできることにより、室外に出にくくなり老人を介護している場合、危険を取り除き前途の欠点を解決しようとするものである。
【課題を解決するための手段】
【０００４】  本考案は、スライド式玄関ドアの施鍵の上部に金具を取付けることで施鍵をロックし問題を解決している。
【考案の効果】
【０００５】  上途の様に、考案の施鍵ロック治具を取付けることで介護老人の徘徊予防に役立っている。
【考案を実施するための最良の形態】
【０００６】  施鍵部を固定してある上部のネジを利用して、本治具を取付ける鍵の上部を押し（カギをかけた状態）本治具の長方形の部分が施鍵部のカギの上部を入れ固定することにより、カギが開かなくなる。
【実施例】
【０００７】  以下、添付図面に従って実施例を説明する。１は、取付穴で施鍵に固定する。２は、長方形の金具で３の本体の板に接着する。４は、付け外しの際に回転する部分である。【０００８】  本考案の実施例は、上途の如き構成からなるものであり、介護老人の居る家庭には、徘徊予防になる。
【図面の簡単な説明】
【０００９】
【図１】本考案の正面図
【図２】本考案の側面図
【図３】実施例図
【符号の説明】
【００１０】  １  取付穴
２  立方体の金具
３  取付台
４  回転部分
【図１】
0003211584.tif 000003
【図２】
0003211584.tif 000004
【図３】
0003211584.tif 000005
【手続補正書】
【提出日】平成29年3月5日(2017.3.5)
【手続補正１】
【補正対象書類名】実用新案登録請求の範囲
【補正対象項目名】全文
【補正方法】変更
【補正の内容】
【実用新案登録請求の範囲】
【請求項１】
２枚の金属板の接合部に釘板を構成するように２枚の金属板を加工し、回転する部分を持った２枚の金属板の一方に取付用の穴をあけ、他方の金属板に立方体の金属を接着したことを特徴とするスライド式玄関ドア施錠ロック治具。
【手続補正書】
【提出日】平成29年5月11日(2017.5.11)
【手続補正１】
【補正対象書類名】実用新案登録請求の範囲
【補正対象項目名】全文
【補正方法】変更
【補正の内容】
【実用新案登録請求の範囲】
【請求項１】
互いに接合する２枚の金属板を含むスライド式玄関ドア施錠ロック治具であって、該金属板の一方はドアに取り付けるための穴を設け、他方は立方体の形状を有する金属を取り付けるとともに、前記一方との接合部分を中心に回転動作可能である、スライド式玄関ドアロック治具。
(57)【要約】      （修正有）【課題】足への負担を軽減できるとともに、鼻緒により、意匠性を向上させることが可能な履き物を提供する。【解決手段】下面にヒール３１を有するソール３と、ソールの上面側に設けられたアッパー２と、を備える履き物であって、ソールの上面から延びて、アッパーの内部からアッパーの外部に延びて、ソールの底面に環状金具５を介して着脱自在に固定される鼻緒４を備える。【選択図】図１
0003211539.tif 000002
【実用新案登録請求の範囲】
【請求項１】
下面にヒールを有するソールと、ソールの上面側に設けられたアッパーと、を備える履き物であって、ソールの上面から延びて、アッパーの内部からアッパーの外部に延びて、ソールの底面に着脱自在に固定される鼻緒を備える鼻緒付き履き物。
【請求項２】
鼻緒は、ソールに固定された先坪と、先坪に中間部分が着脱自在に固定され、両端が後方に延び、ソールの底面側において、互いに着脱自在に連結される横緒と、を有する請求項1に記載の鼻緒付き履き物。
【考案の詳細な説明】
【技術分野】
【０００１】
下面にヒールを有するソールと、ソールの上面側に設けられたアッパーと、を備える履き物に関する。
【背景技術】
【０００２】
従来、甲皮と、ヒールを有する靴底とで靴本体が形成されたヒール付き靴であって、靴本体の前部側内部に、足の指間に挿入可能な鼻緒部が設けられているヒール付き靴が提案されている。（特許文献1参照）
【先行技術文献】
【特許文献】
【０００３】
【特許文献１】特開２０１２−２００３３３号公報
【考案の概要】
【考案が解決しようとする課題】
【０００４】
ところで、下駄における鼻緒は、多様なデザインや素材で形成され、履き物全体の意匠性を向上させるものである。
しかしながら、特許文献1のヒール付き靴は、鼻緒が靴本体の内部に設けられているので、鼻緒による意匠性を向上させることができない。
【０００５】
本考案は、足への負担を軽減できるとともに、鼻緒により、意匠性を向上させることが可能な履き物を提供することを目的とする。
【課題を解決するための手段】
【０００６】
下面にヒールを有するソールと、ソールの上面側に設けられたアッパーと、を備える履き物であって、ソールの上面から延びて、アッパーの内部からアッパーの外部に延びて、ソールの底面に着脱自在に固定される鼻緒を備える履き物。
【０００７】
鼻緒は、ソールに固定された先坪と、先坪に中間部分が着脱自在に固定され、両端が後方に延び、ソールの底面側において、互いに着脱自在に連結される横緒と、を有する請求項1に記載に履き物。
【考案の効果】
【０００８】
本考案によれば、足への負担を軽減できるとともに、鼻緒により、意匠性を向上させることが可能な履き物を提供できる。
【図面の簡単な説明】
【０００９】
【図１】本考案の実施形態に係る履き物を斜め後方から見た斜視図である。
【図２】本実施形態の履き物の側面図である。
【図３】本実施形態の履き物の底面図である。
【考案を実施するための形態】
【００１０】
以下、本考案の実施形態について説明する。
【００１１】
履き物１は、下面にヒール３１を有するソール３と、ソール３の上面側に設けられたアッパー２と、ソール３の上面から延びて、アッパー２の内部からアッパー２の外部に延びて、ソール３の底面に着脱自在に固定される鼻緒４を備える。
【００１２】
鼻緒４は、ソール３に固定された先坪４１と、先坪４１から中間部分が着脱自在に固定され、両端が後方に延び、両端の横緒４２を環状金物５に通し、ソールの底面側において、互いに着脱自在に連結される横緒４２と、を有する。
【００１３】
鼻緒４のデザインは多様で、下駄や草履では履き物のアクセントとしての存在がある。鼻緒４のデザインとして、横緒４２が複数本あるもの、横緒４２の幅が太いもの、細いもの等がある。鼻緒４の素材も、綿、絹、皮製等と種類が豊富である。
【００１４】
本実施形態の履き物１は、洋装の現代の履き物(例えば、ハイヒール等)に、アクセントとして和物の鼻緒４を備えた。そして、履き物１は、アッパー２の外側に横緒４２を延ばし、鼻緒４を用いてデザイン性を高めた。
【００１５】
ところで、昔から下駄や草履は、着物と帯が別々に販売しているように、台と鼻緒４を別々に販売していた。客が好みの台と鼻緒４を選び、下駄屋が台に鼻緒４をすげる。そして、鼻緒４が古くなると、又は、季節の変わり目に新しい鼻緒４に交換をする。ここから、本実施形態の履き物１の鼻緒４もソール３から交換可能な着脱自在とした。
【００１６】
また鼻緒４を有することにより、鼻緒４の先坪４１が足の指間に挿入できることにより、足が履き物の前方側にずれることを阻止でき、それにより、外反母趾を生じることを防ぐことができる。
【符号の説明】
【００１７】
1  履き物
２  アッパー
３  ソール
３１  ヒール
４  鼻緒
４１  先坪
４２  横緒
５  環状金具
【図１】
0003211539.tif 000003
【図２】
0003211539.tif 000004
【図３】
0003211539.tif 000005
(57)【要約】      （修正有）【課題】肉筋の部分筋切り、筋切り調整、やわらかく食べやすくできる円盤型回転式カッターを提供する。【解決手段】円盤型回転式カッター本体１の刃先を部分的に無くし、刃先有り部２と刃先無し部３を設ける。回転しながら部分的筋切りができ、外観を崩さずやわらかく食べやすくし、且つ、筋切りの回数を変える事により、よりいっそうのやわらかさ、食感変化が味わえる。【選択図】図２
0003211598.tif 000002
【実用新案登録請求の範囲】
【請求項１】
円盤型回転式カッターの刃先を部分的に刃先あり部となし部をもうけたカッターで、回転しながら肉筋を部分筋切りができ、外観を崩さず、やわらかく、且つ、食べやすく調整することができ、他食材の器具利用ができるとしたところを特徴とする円盤型回転式カッター。
【考案の詳細な説明】
【技術分野】
【０００１】  本考案は、円盤型カッターの刃先を部分的に無くした円盤型回転式カッターに関するものである。
【背景技術】
【０００２】  食肉の筋切りとしてローラー式・ハンマー式等の調理器具、道具を用いて肉筋切りをしていた。
【考案の概要】
【考案が解決しようとする課題】
【０００３】  従来、食肉の肉筋切り調理器具は、部分調理加工、筋切り調整、他食材の器具利用が困難である。従って、円盤型カッターの刃先を部分的に無くし、回転しながら筋切りが出来る事により前述の欠点を解決しようとするものである。
【課題を解決するための手段】
【０００４】  本考案の円盤型回転式カッターは刃先を部分的に無くし、円盤型カッターを回転しながら肉筋切りをする事により、肉筋を部分切り、筋切り調整、且つ、他食材の器具利用ができ問題を解決している。
【考案の効果】
【０００５】  上述の様に、本考案の円盤型カッター刃先部を部分的に無した円盤型カッターを使用する事で、肉筋切り部分調理加工、肉筋切り調理、且つ、やわらかさの食感も調整でき調理器具として考案の効果を得られ、他食材への利用も可能であり調理器具として役立つ。
【図面の簡単な説明】
【０００６】
【図１】考案した円盤型回転式カッター刃先部分無し部と刃先有り部を示す正面図である。
【図２】本考案の円盤型回転式カッター本体と刃先部分無し部と有り部を一実施例を示す正面図である。
【特号の説明】
【０００７】  １    円盤型回転式カッター本体
２    刃先あり部
３    刃先無し部
４    肉筋部
５    食肉本体
【図１】
0003211598.tif 000003
【図２】
0003211598.tif 000004
(57)【要約】      （修正有）【課題】目薬容器が安定感を得ながら片手で点眼液を注す事が出来る点眼補助具を提供する。【解決手段】片手での点眼を行うための点眼補助具１は、上瞼を開いた状態に維持する瞼支え部５と、前記点眼補助具１を指に固定する指固定部３と、点眼補助具１を安定保持するための保持部２と、指固定部３の反対側に設けられた目薬容器を収納する目薬容器収納袋６とを備えている。目薬容器収納袋６は、目薬容器を指で挟んだ時にずれないように、内側に複数の突条を有する。【選択図】図１
0003211549.tif 000002
【実用新案登録請求の範囲】
【請求項１】
片手での点眼を行うための点眼補助具であって、前記点眼補助具は目薬容器を収納する目薬容器収納袋と、上瞼を開いた状態に維持する瞼支え部と、前記点眼補助具を指に固定する指固定部と、前記瞼支え部の反対側に設けられ、点眼補助具を保持する保持部とを備えたことを特徴とする点眼補助具。
【請求項２】
前記目薬容器収納袋は、その内側に複数の突条を有することを特徴とする請求項１に記載の点眼補助具。
【考案の詳細な説明】
【技術分野】
【０００１】
本考案は、目薬を点す際に使用する点眼補助具に関する。
【背景技術】
【０００２】
眼に点眼液を注す時、目薬容器を持った手が上手く固定されず何度も注し直したり、片手で瞼を開き目薬容器を近くに寄せても上手く眼中に注す事が出来な場合や瞼を閉じたり目薬容器が指先で上手く固定されず誤って眼の周囲に点眼液を落とす等の問題点を有していた。
【先行技術文献】
【特許文献】
【０００３】
【特許文献１】実用新案登録第３０６１５６６号
【考案の概要】
【考案が解決しようとする課題】
【０００４】
目薬を点眼する際には、次のような解決すべき課題があった。
目薬を点眼する際に、目を閉じてしまったり、目薬を持つ手が震えて上手く点せないという問題があった。
【課題を解決するための手段】
【０００５】
本考案は上記課題を解決するために、本考案の点眼補助具は、片手での点眼を行うための点眼補助具であって、前記点眼補助具は目薬容器を収納する目薬容器収納袋と、上瞼を開いた状態に維持する瞼支え部５と、前記点眼補助具を指に固定する指固定部と、前記瞼支え部の反対側に設けられ、点眼補助具を保持する保持部とを備えたことを特徴とする。また、前記目薬容器収納袋は、その内側に複数の突条を有することを特徴とする。
【考案の効果】
【０００６】
本考案の点眼補助具には次のような効果がある。
目薬容器を点眼補助具にセットする事により目薬容器の保持とブレが少なくなるので片手で点眼液を容易に点眼出来る。
【図面の簡単な説明】
【０００７】
【図１】この考案の点眼補助具の斜視図である。
【図２】この考案の点眼補助具の目薬容器収納袋を示す図である。
【図３】この考案の点眼補助具の使用状態を示す図である。
【図４】この考案の点眼補助具の点眼時において点眼補助具の持ち方を示す図である。
【考案を実施するための形態】
【０００８】
以下、本考案を図の具体例を用いて詳細に説明する。
【実施例】
【０００９】
図１はこの考案の点眼補助具の斜視図である。図２はこの考案の点眼補助具の目薬容器収納袋を示す図である。図１において、片手での点眼を行うための点眼補助具１は、上瞼を開いた状態に維持する瞼支え部５と、前記点眼補助具１を指に固定する指固定部３と、前記点眼補助具１を安定保持するための保持部２と、指固定部３の反対側に設けられた目薬容器を収納する目薬容器収納袋６とを備えている。図２において、前記目薬容器収納袋６は、円筒形又は楕円形状の容器でも点眼液を点す場合指で挟んだ時ずれない様に収納袋６の内側に複数の突条７を有し、この突条７は目薬容器を目薬容器収納袋６に挿入する方向に沿って設けられており、目薬容器を目薬容器収納袋６内で動かないように安定して保持する。
【００１０】
図３はこの考案の点眼補助具の使用状態を示す図である。この考案の点眼補助具１は次のようにして使用する。本考案の点眼補助具１を片手で持って瞼支え部５で上瞼を押えることにより上瞼を開き、その状態で目薬を点すことができる。
【００１１】
図４はこの考案の点眼補助具の点眼時において点眼補助具の持ち方を示す図である。この考案の点眼補助具を１は次のようにして使用する。片手での点眼を行うために、点眼補助具１の指固定部３に人差し指を固定し、指支え部２を中指で安定させながら瞼支え部５で瞼を開き角度を調整しながら、目薬収納袋６を親指の腹で挟む様ことにより片手で点眼液を簡単に点すことができる。  
【産業上の利用可能性】
【００１２】
本考案の点眼補助具は点眼を上手にできる方の様に目薬容器を片手で持って瞼を開き落ち着いて正確に点眼出来ることを特徴とし、目薬容器の形状が変わっても収納袋に入る事により容器がずれたりすることもなく指で挟む様に使うことが出来る。  
【符号の説明】
【００１３】
１  点眼補助具
２  保持部
３  指固定部
４  支え柱
５  瞼支え部
６  目薬容器収納袋
７  突条
【図１】
0003211549.tif 000003
【図２】
0003211549.tif 000004
【図３】
0003211549.tif 000005
【図４】
0003211549.tif 000006
(57)【要約】      （修正有）【課題】第一にテーブルに譜面台が安定して支持・保持でき、第二に誰でもが簡単に扱え、第三に軽量でコンパクトであり、第四に単純な構造で価格も安い譜面台挿しを提供する。【解決手段】上部締め付けネジ５が接着固定されたビニール管４をシャコ万力３の裏側面に接着固定してなる。テーブル１に簡単に挟み取り付ける事が出来る。【選択図】図６
0003211405.tif 000002
【実用新案登録請求の範囲】
【請求項１】
場所を取らずに演奏する為の、テーブル式譜面台挿しであって譜面台挿しは、シャコ万力と内径１６ｍｍ長さ７０ｍｍの塩化ビニール管と三脚を外した譜面台から成り安定して支持・保持することを特徴とする譜面台挿しである。
【考案の詳細な説明】
【技術分野】
【０００１】  本考案は、既設の折りたたみ式の譜面台を安定して支持・保持のためには三脚が必要となるが、三脚が無くても安定して支持・保持して譜面台の働きをする為の譜面台挿しである。
【背景技術】
【０００２】  既設の譜面台は折りたたみ三脚式譜面台と卓上式譜面台の２つである。卓上式譜面台は三脚が無いが、譜面台挿しを取り付ける事で安定して支持・保持が出来る。しかしテーブル用譜面台挿しを使用する必要がある。【０００３】  卓上式譜面台は三脚を立てる場所がないと演奏は困難である。既設の折りたたみ三脚式譜面台は三脚の足が長い欠点が有り、重いので持ち運びする事は困難である。【０００４】  折りたたみ三脚式譜面台は三脚が長い為に譜面台専用の袋に入れて肩に担いで持ち運ぶしかない。【０００５】  既設の折りたたみ三脚式譜面台を使用する場合、三脚を立てる場所がないと演奏できない。卓上式譜面台は譜面台挿しを使用する演奏に制約を受けることなく使用できる。しかしテーブル用譜面台挿しが求められる。このため解決する課題は４つである。
【考案の概要】
【考案が解決しようとする課題】
【０００６】  第一にテーブルに譜面台が安定して支持・保持できること、第二に誰でもが簡単に扱えること、第三に軽量でコンパクトあること、第四に単純な構造で価格も安いものであること。
【課題を解決するための手段】
【０００７】  既設の折りたたみ三脚式譜面台には三脚が付いている。三脚によって譜面台を安定して支持と保持する事に成りますが、三脚を立てる場所がないと立てられない。しかしシャコ万力を使用することで可能となる。内径１６ｍｍ長さ７０ｍｍの塩化ビニール管の上部には強力接着剤で締め付けネジを接着固定する。シャコ万力の裏側面に強力接着剤で接着固定する。使用する時は、テーブルを自分の前に置きシャコ万力を上下逆さにしいてテーブルの側面に挟み取り付けて固定する。譜面台を譜面台挿しに挿す事で演奏に最適な位置を決める事が出来る。
【考案の効果】
【０００８】  本考案した譜面台挿しをテーブルの側面に挟み取り付け固定する事で譜面台が安定して支持・保持できる事で演奏が可能である。
【図面の簡単な説明】
【０００９】
【図１】テーブルの斜面図
【図２】既設のアルミ製折りたたみ譜面台の斜面図
【図３】３段目のパイプから三脚を外した状態の斜面図
【図４】アルミ製シャコ万力斜面図
【図５】アルミ製シャコ万力の裏側面に塩化ビニール管を接着した状態の斜面図
【図６】譜面台を安定して支持と保持のためテーブルの側面に譜面台挿しを挟み取り付けた状態の斜面図
【考案を実施するための形態】
【００１０】  本発明の実施形態を、図２、図３、図４、図５、で示す。
譜面台を安定して支持と保持のため譜面台挿しをテーブルの側面に挟み取り付ける事で、三脚と同じ役目と成り狭い場所での演奏が容易となる。
【実施例】
【００１１】  図１はテーブルの斜視図である。シャコ万力と内径１６ｍｍ長さ７０ｍｍの塩化ビニール管から構成されている。テーブルの側面にシャコ万力を挟み取り付け譜面台を挿す。１段目・２段目のパイプに付いている締め付けネジと塩化ビニール管の上部には強力接着剤で接着して締め付けネジで高さ調節する。三脚は３段目のパイプの下部にネジで止めてあるのでネジを緩めると三脚は外れます。三脚が無いので広い場所が要らない。棚やオーバテーブルの使用も可能である。軽量でコンパクトになるので鞄にも入れられます。また、三脚を使いたい時には三脚を３段目のパイプに嵌めネジを締める。
【符号の説明】
【００１２】１  テーブル
２  既設のアルミ製折りたたみ譜面台
３  アルミ製シャコ万力
４  内径１６ｍｍ長さ７０ｍｍの塩化ビニール管
５  締め付けネジ
６  三脚
【図１】
0003211405.tif 000003
【図２】
0003211405.tif 000004
【図３】
0003211405.tif 000005
【図４】
0003211405.tif 000006
【図５】
0003211405.tif 000007
【図６】
0003211405.tif 000008
【手続補正書】
【提出日】平成29年4月10日(2017.4.10)
【手続補正１】
【補正対象書類名】実用新案登録請求の範囲
【補正対象項目名】全文
【補正方法】変更
【補正の内容】
【実用新案登録請求の範囲】
【請求項１】
上部締め付けネジが接着固定されたビニール管をシャコ万力の裏側面に接着固定してなる譜面台挿し。
(57)【要約】      （修正有）【課題】麺製造工程で出来る副産物のふし麺を利用し、塩分濃度を抑制させた煎餅を提供する。【解決手段】麺類の製造工程に発生する規格外部分のふし麺を、水に漬けた後若しくは茹でた後に加熱処理されて製造される、該規格外部分のふし麺の形状が残る煎餅であって、ふし麺の茹でる条件が、５０度以上で３０分以内であり、ふし麺の水漬け条件が、２０度以下で３時間以上である。【選択図】図２
0003211406.tif 000002
【実用新案登録請求の範囲】
【請求項１】
麺類の製造工程時に発生する規格外部分の麺であり、前記規格部分を水漬け若しくは茹でた後に加熱処理されて製造した煎餅。
【請求項２】
前記規格部分が乾麺のふし麺である事を特徴とする請求項１記載の煎餅
【請求項３】
前記ふし麺の茹でる条件が、５０度以上で３０分以内であることを特徴とする請求項３に記載の煎餅。
【請求項４】
前記ふし麺の水漬け条件が、２０度以下で３時間以上であることを特徴とする請求項２に記載の煎餅。
【考案の詳細な説明】
【技術分野】
【０００１】本考案は、麺製造工程で製造されるふし麺を利用した煎餅に関する。
【背景技術】
【０００２】「ふし麺」とは、手延べ麺などを作る際に手延べそうめんは上下所定本数の管（くだ）に掛けて引き延ばし、乾燥をして仕上げられるが、上管と下管の部分に出来る副産物で、棒で割り伸ばしてから、吊して乾燥する時に管にかかっていた曲線部分を、乾燥後に切り分けたものを言う。【０００３】前記「ふし麺」は規格外部分であるために、再利用する場合として、
次回の製造工程に使用する。その際に多く使用し過ぎると落麺・切れ麺の原因となるために、そのまま販売、又は廃棄処分されていた。他の再利用としては、かりんとう等のお菓子に利用されている。
【先行技術文献】
【特許文献】
【０００４】
【特許文献１】特開２００５−２９５９７３
【０００５】
【考案の概要】
【考案が解決しようとする課題】
【０００６】乾麺の製造工程で出る「ふし麺」をかりんとう等のお菓子に利用する場合には前処理なしに使用するため塩分濃度が５％から１０％含有されており、糖類を過剰に使用する事で塩辛さを誤魔化しているために高血圧の原因となる。
【課題を解決するための手段】
【０００７】本考案は、「ふし麺」を塩分濃度の低い（減塩）菓子を提供することにあり、前記塩分濃度を低下されるために製造工程で出た「ふし麺」をお菓子製造工程前に茹でる若しくは水にさらして（水に浸して）当該「ふし麺」の塩分濃度を下げた後に鉄板でプレスして製造した煎餅である。前記ふし麺の茹でる条件が、５０度以上３０分以内であることを特徴としている。使用する「ふし麺」の太さにより茹でる温度や時間は適宜変更する必要はあるが、最終的に完成した煎餅の外観が「ふし麺」形状が残る程度が見た目にも面白い。
【考案の効果】
【０００８】再利用の困難な「ふし麺」を新たな加工食品に変更でき、且つ塩分濃度を抑制させた煎餅を提供できる。
【図面の簡単な説明】
【０００９】
【図１】「ふし麺」の形状を示す。
【図２】本考案である「ふし麺」から成る煎餅の形状を示す。
【考案を実施するための形態】
【００１０】以下、本考案に係る実施の形態を図面により説明する。
【実施例】
【００１１】手延べ素麺の製造工程を簡単に説明する。第一工程は小麦粉に食塩水を入れて麺塊になるまで所定の時間ぐらいよく混ぜ合わせ、第二工程は第一工程で出来た麺塊をよく熟成させたものを圧延して円板状態にし、渦巻き状に切り所定の太い麺帯にする。第三工程では第二工程を経た麺帯に食用油を塗りながら細い麺帯棒状にした後に熟成させ、第四工程で第三工程を経た麺帯を徐々に細い麺帯紐状にして熟成させる。第五工程は麺帯を所定の管に８の字に掛け熟成させる。第六工程は麺帯を、所定の長さほど引き延ばし更に所定の時間熟成させる。第七工程は麺帯を再び、徐々に延ばしながら木のはしで麺帯を延ばしながら細かく仕分ける。第八工程は麺帯を乾燥台に掛け、麺帯を乾燥させながら木のはしで麺の付着した部分を仕分け。最終工程にて乾燥した麺帯を揃え所定の長さに切断して完成する。前記最終工程で乾燥した麺帯を揃え所定の長さに切断された際に第五工程で麺帯を所定の管に掛けた領域が、図１に示すように「ふし麺」となる。【００１２】前記「ふし麺」に対して、５０度  以上  ３０分間  以内  茹でることで塩分濃度を下げ、且つ、水分を含ませることで「ふし麺」を柔らかくした。前記茹でた「ふし麺」を  ８０度以上１５０度に加熱した上火・下火の両面焼きのプレス機で３０秒間以上加熱することで図２に記載する煎餅を得ることができた。【００１３】前記「ふし麺」に対して、沸騰した湯で１分間以上茹でることで塩分濃度を下げ、且つ、水分を含ませることで「ふし麺」を柔らかくした。上火・下火の両面焼きのプレス機の鉄板上で前記茹でた「ふし麺」を８０℃以上で１分間以上加熱して多彩なフレーバー・粉末をかけて美味しい煎餅を得ることができた。【００１４】前記「ふし麺」に対して、水温２０℃以下の水にて「ふし麺」を３時間以上水にさらして（水に浸して）、発酵や菌の増殖が起こらないように綺麗な水にて数回水を入れ替えすることにより塩分濃度を下げ、且つ、「ふし麺」を柔らかくした。前記茹でた「ふし麺」を８０℃以上に加熱した上火・下火の両面焼きのプレス機で１０分間以上加熱することで煎餅を得ることができた。【００１５】なお、本考案にかかる「ふし麺」を使用した煎餅は、実施形態に記載したものに限られるものでなく、考案の要旨を逸脱しない範囲で変更可能である。例えば、「ふし麺」のみならず手延べ麺として商品販売できる麺を使用しても良い。
【産業上の利用可能性】
【００１６】本考案は、煎餅として食するだけでなく、例えば本考案の煎餅は一度茹で塩分濃度を低下させているため直接味噌汁に直接入れて調理することも可能である。
【符号の説明】
【００１７】１  ふし麺
２  煎餅
【図１】
0003211406.tif 000003
【図２】
0003211406.tif 000004
【手続補正書】
【提出日】平成29年4月20日(2017.4.20)
【手続補正１】
【補正対象書類名】実用新案登録請求の範囲
【補正対象項目名】全文
【補正方法】変更
【補正の内容】
【実用新案登録請求の範囲】
【請求項１】
麺類の製造工程に発生する規格外部分のふし麺を、水に漬けた後若しくは茹でた後に加熱処理されて製造される、該規格外部分のふし麺の形状が残る煎餅。
【請求項２】
前記ふし麺の茹でる条件が、５０度以上で３０分以内であることを特徴とする請求項１に記載の煎餅。
【請求項３】
前記ふし麺の水漬け条件が、２０度以下で３時間以上であることを特徴とする請求項１に記載の煎餅。